(57)【要約】【課題】  商品陳列棚の棚板前面に元々常設的に設置されているプライスカード保持板の前面に重ねて装着するPOPカード用保持具で、元のプライスカード保持板に保持されたカードの陳列商品の各種情報を検索機材にて検索入力する際のPOPカード用保持部の掛合および開閉機構に関し、これまで体裁が悪く、煩雑な技術を要しての成型であったためコスト高を招き、しかも構成から来る掛合および開閉過程での使い難さ、変質、脱落、破損し易いなどの問題があった。【解決手段】  断面U字形の板状前後挟持片２a,２bの後側挟持片２b上側辺を、上方に延長して後向きに曲折し、さらに下方手前に曲げ返して鉤形掛止部３としたカード保持部２と、該掛止部３が回転可能に収容できる大きさの中空部５aを有し、その上壁５cの長さ方向に沿う後寄りを溝状に切り欠いて開口部６とした断面管状の掛受部５を上側辺上に設けた棚板ガード枠部４とでカード保持具１を構成し、カード保持部２の掛止部３を棚板ガード枠部４の掛受部５内に回転可能に掛合する。【選択図】      図１０
2006181168.tif 000002
【特許請求の範囲】
【請求項１】
最大で棚板の前面幅に相当する長さを有し、断面U字形をなす腹合わせ状の前後挟持片からなる板状カード保持部と、棚板の前面幅に相当する長さを有し、下側を装着片とした板状の棚板ガード枠部とからなり、カード保持部本体の後側挟持片の長さ方向に沿う上側辺に、上方で一旦後向きに曲折し、さらに延長して下方手前に曲げ返して懐部を有する鉤辺とした板状の掛止部を設け、他方棚板ガード枠部本体の長さ方向に沿う上側辺に断面管状の掛受部を設け、該掛受部の長さ方向に沿う上面中央または後寄りを溝状に切り欠いた開口部を形成してなる商品陳列棚のカード保持具。
【請求項２】
前記棚板ガード枠部の掛受部は、上面前寄りに長さ方向に沿って肘片を突設してなる請求項１記載の商品陳列棚のカード保持具。
【請求項３】
前記カード保持部の掛止部は、懐部の壁面に長さ方向に沿って肘片を突設してなる請求項１または２記載の商品陳列棚のカード保持具。
【請求項４】
前記カード保持部の掛止部は、カード保持部本体と別体に形成し、カード保持部本体の上端辺に掛止部の下側辺を、長さ方向に沿って設けた相対する結合手段により結合してなる請求項１乃至３記載のいずれか１の商品陳列棚のカード保持具。
【請求項５】
前記棚板ガード枠部の掛受部は、棚板ガード枠部本体と別体に形成し、棚板ガード枠部本体の上端辺に掛受部の下側辺を、長さ方向に沿って設けた相対する結合手段により結合してなる請求項１乃至４記載のいずれか１の商品陳列棚のカード保持具。
【発明の詳細な説明】
【技術分野】
【０００１】
本発明は商品陳列棚のプライスカード支持板の前面に着脱可能に装着するカード保持具にして、商品の日替わり価格、キャッチ表示等を表示したカードを保持する器具に関する。
【背景技術】
【０００２】
本発明のカード保持具は、商品陳列棚の棚板前面に元々常設的に設置されているプライスカードを挿入表示するための所謂、プライスカード保持板の表側（前面）に着脱自在に重ねて装着する器具で、その日その日の特別価格をキャッチ表示などと共に記した日替わり表示カード、即ちPOPカードを挿着表示するための保持具である。
【０００３】
これまでこの種のカード保持具は、特開平１１−２４９５６２号公報（特許文献１）に記載されているように、カード保持部材の長さ方向に沿う上端辺上に設けたフック状の掛合手段により商品陳列棚のプライスカード保持板に引っ掛け、該保持板前面に重ねて添わせぶら下げていた。
【特許文献１】特開平１１−２４９５６２号公報
【０００４】
このカード保持具では、商品の在庫状況などを計数する場合、元のプライスカード保持板に支持された主カードに表示入力されている陳列商品の各種情報（バーコード等）を検索機材を使って読みとるとき、プライスカード保持板の前面に重ねて装着した前記POPカード保持具又はこれに挿着支持されたカードが遮ってこれら情報を検出入力できないため、このPOPカード保持具を一々プライスカード保持板から取り外して検出入力作業しなければならない不都合があった。
【０００５】
近年、この不都合を回避するため、プライスカード保持板と商品陳列棚の棚板との間に形成された受け溝に挿着する棚板ガード枠を利用し、図１４に示すように硬質合成樹脂資材を用いたこの棚板ガード枠２３の長さ方向に沿う上端辺を後向きに彎曲して設けた懸け片２３aの端辺と、同等の硬質合成樹脂資材からなる腹合わせ状の断面U字形をなすカード保持部２１の後側挟持片２１a上端辺に設けた相似形をなす懸け片２１bの端辺を結合させて一体成型するについて、この連結部分に屈撓自在の柔軟合成樹脂資材からなる連結帯２２を配して一体成型したカード保持具２０が提案されている。
【０００６】
また、同じく棚板ガード枠を利用したものとして、図１５に示すように前後側挟持片３１a,３１bで断面U字形をなすカード保持部３１の後側挟持片３１b及び棚板ガード枠３２の互いの上端辺を、ともに後側に向けて彎曲させて下向きに曲げ返した相似鉤形の掛合片３１c,３２aを形成し、カード保持部３１の鉤形掛合片３１cを相似する棚板ガード枠３２の鉤形掛合片３２a上に掛合させ揺動自在に抱持した状態で係合させるカード保持具３０が試みられている。
【発明の開示】
【発明が解決しようとする課題】
【０００７】
図１４の保持具は、軟質合成樹脂資材からなる連結帯２２を部分的に配し、その柔軟性を利用して棚板に挿着固定した棚板ガード枠部２３に対し、カード保持部２１を揺動させる構成であり、硬軟材質の異なる資材を部分的に配する一体成形であるため、その技術的難易度は極めて高く、コスト高を来すと共に、軟質合成樹脂資材からなる連結帯２２（ヒンジ部）が永い使用中に変質劣化して変色し、連結帯２２部が破損し易く揺動機能に支障を来すと共に、変色により商品陳列環境を醜くして商品価値を低下させる等の問題があった。
【０００８】
図１５の保持具にあっても、そのヒンジ部のカード保持部３１及び棚板ガード枠３２の掛合片３１c,３２aは、いずれも同じ方向を向いた開口部を有する同形の彎曲をなし、カード保持部３１の掛合片３１cを棚板ガード枠部３２の掛合片３２a上に引っ掛けた抱持状態で掛合回動させる構成であるため、揺動時にカード保持部３１の掛合片３１cがその開口部によって、棚板ガード枠部の掛合片３２aから外れる問題を抱えていた。
【０００９】
これを解消するため互いの掛合片３１c,３２aの彎曲深度を深くすることにより、その巻きの深さを利用して掛合を深く緊密にしている。その結果掛合片３１c,３２a曲折部を互いに掛合させるとき、互いの彎曲深度が深いがため長さ方向に沿う開口部正面から掛け合わせ結合することは困難となり、長さのあるカード保持部３１及び棚板ガード枠３２同士の左右開口端辺から挿嵌してスライドさせる煩雑な掛合作業を強いられていた。
【００１０】
ことに、上記図１４、１５の保持具２０,３０は、既存のプライスカード保持板上のプライスカード情報を読みとるべくプライスカード保持板前面に垂れ添っているカード保持部２１,３１を上方に揺動させて捲り開けることを可能にしているが、図１４では捲り上げたカード保持部２１は棚板ガード枠２３の後側まで開き落ちるため、プライスカード情報の読み取り後は、棚板ガード枠２３の後側（裏側）まで開き落ちて前側から見えない状態のカード保持部２１端を、手探りでプライスカード保持板前面に戻す作業をしなければならない煩雑さがあり、これが数多いPOPカードにより遮られたプライスカード保持板上のプライスカード情報読み取り作業を煩わしくし、作業効率を悪くしていた。
【００１１】
また、図１５にあっては、捲り上げたカード保持部３１を開放した倒立状態に保持させるためには、互いの掛合片３１c,３２aの彎曲径によっては図１４同様に、棚板ガード枠３２の後側（裏側）まで開き落ちてしまう虞があり、この掛合片３１c,３２aの彎曲径を変形調整することにより、互いの回動掛合部に突っ張り作用を働かせて倒立状態を保持させる複雑微妙な構造が求められるため、成型工程の確立に長い期間を要して効率が悪くコストの高騰を招いていた。
【課題を解決するための手段】
【００１２】
この発明は上記課題を解決するため、長いもので棚板の前面幅に相当する左右の長さを有し、断面U字形をなす腹合わせ状の板状の前後挟持片からなるカード保持部と、棚板の前面幅に相当する左右の長さを有し、下側を装着片とした板状の棚板ガード枠部とからなり、カード保持部は本体の後側挟持片の長さ方向に沿う上側辺に、上方を一旦後向きに曲折させ、さらに下向き手前に曲げ返して懐部を有する鉤辺からなる断面鉤状の掛止部を設け、他方棚板ガード枠部は本体の長さ方向に沿う上側辺に、前記カード保持部の掛止部が回転可能な大きさの中空部を有する断面管状の掛受部を設け、該掛受部の上面（上壁）を長さ方向に沿い切り欠いて溝状の開口部を形成してなる商品陳列棚のカード保持具を提案する。
【００１３】
このカード保持具は、棚板ガード枠部の長さ方向に沿う装着片を、後述する商品陳列棚の棚板前側面にプライスカード保持板との間に設けた受け溝に挿着して棚板ガード枠部を棚板前側に固定し、この棚板ガード枠部の掛受部上の溝状開口部に、カード保持部本体を水平方向に持ち上げながら頭大状の掛止部の板状曲折鉤辺端を平行にすることにより挿入することが可能となり、挿入された鉤辺はその懐部に自然と開口部の前側辺を受け入れて掛かり合い、カード保持部本体はその自重でプライスカード保持板側に転回して垂下し、曲折鉤辺端が開口部の板状前側辺に引っ掛かった状態でカード保持部はプライスカード保持板前面に掛け支えられるものである。
【００１４】
カード保持部のプライスカード保持板上での捲り上げ時には、カード保持部の重力により鉤形頭大状の掛止部は、掛受部の中空部に没入して底部で受支され、カード保持部本体はその大部分が掛受部開口部から露出して重力が上方に偏った状態で倒立支持されて、首部は開口部の後側辺または前側辺にもたれ掛かった状態で停止し保持される。
【００１５】
このカード保持部をプライスカード保持板前面に戻し添わせる時には、カード保持部の下側辺、即ち倒立状態のカード保持部の上辺を手前に向けて軽く弾くだけで、前記倒立状態のカード保持部は上方に偏った重力作用により前方側に倒れ戻り、これによって掛止部は中空部内で回転しながら開口部前側辺を支点としてシーソー状に持ち上げられて曲折鉤辺が自然に板状の前側辺に掛かり、転動したカード保持部本体はプライスカード保持板前面に垂れ添って固定保持される。
【００１６】
請求項２のように、棚板ガード枠部の掛受部の上面前寄りに、長さ方向に沿って肘片を突設したカード保持具では、掛受部を補強すると共に、カード保持部掛止部の棚板ガード枠部掛受部への掛支時に、掛止部の懐部の上下間隔を、掛受部の開口部前側辺と肘片とで吸収して、がたつきをなくし、不用意な接触にもプライスカード保持板前面に添い掛けたカード保持部が傾いたり、外れ落ちたりすることがない作用効果がある。
【００１７】
さらに、請求項３のように、カード保持部の懐部壁面に長さ方向に沿って肘片を突設したカード保持具では、鉤辺を含む掛止部の補強が期待できると共に、カード保持部掛止部の棚板ガード枠掛受部への掛支時に、該肘片が掛止部の懐部内に掛入された開口部の前側辺を抑止して、掛止部が掛受部に対して手前方向にずれることを防ぐため、がたつきがなくなり、請求項２同様の効果がある。
【００１８】
また、請求項４または５のように、カード保持部の掛止部をカード保持部本体と、また棚板ガード枠部の掛受部を棚板ガード枠本体と、それぞれ別体に形成し、各本体と掛受部または掛止部を相対して設けた結合手段により結合して、掛止部を設けたカード保持部、または掛受部を設けた棚板ガード枠部を構成するカード保持具では、複雑な構成の掛止部または掛受部を各本体と連続して成型することによる作業工程または金型作成の煩雑さ及びこれに伴うコスト高を回避する作用効果がある。
【発明の効果】
【００１９】
この発明に係る商品陳列棚のカード保持具は、上記で説明した鉤状掛止部を有するカード保持部と、溝状開口部を設けた管状掛受部を有する棚板ガード枠部との簡易な掛合構成から、カード保持具の成型工程の及び組立て作業の効率を大幅に高め、商品陳列棚のカード保持具の設置コストの低廉に成功した。
【００２０】
また、掛止部は板構成を利用して棚板ガード枠部の溝状開口部に挿嵌し易く、且つ挿嵌後はカード保持部本体が自重により下方に摺り下がることにより、掛止部の鉤辺が開口部の前側辺に自然に緊密に掛かり合って固定し、しかも商品陳列棚の棚板に装着された元々のプライスカード保持板を一時的に開放させるためにカード保持部を上方に揺動させる際にも、掛止部は断面鉤形頭大状であるため転回過程においては勿論、倒立状態でも掛受部の溝状開口部から抜脱することがなく、容易に掛受部から離脱しない安全で体裁の良い構成である。
【００２１】
ことに、プライスカード保持板を一時的に開放させるに際し、カード保持部を上方に捲り上げることにより、掛止部は掛受部の底部上に沈下し受支されると共に、掛止部の首部を掛受部の開口部後側辺または前側辺で支持して倒立状態を維持することができるため、余裕をもってプライスカード保持板上のプライスカード情報を確実に検索入力することができる。
【００２２】
併せて、カード保持部の大部分が開口部から露出して重力が上方に偏った倒立状態で保持される構成であるため、倒立状態のカード保持部を手前に弾くだけの簡単な操作により、その重力の偏りにより掛止部が掛受部の中空部内で軽快に回転してカード保持部が手前側に倒れ戻ると同時に、鉤状掛止部が開口部の前側辺に自動的に掛かり合ってプライスカード保持板面上に掛け添う等、上記プライスカード保持板上のプライスカード情報の検索入力作業能率を大幅に向上させるものである。
【００２３】
さらに、カード保持部の掛止部をカード保持部本体と、棚板ガード枠部の掛受部を棚板ガード枠部本体とそれぞれ別体に分離形成することにより、掛止部または掛受部を一体に設けたカード保持部または棚板ガード枠部の成型工程に比し成型効率がよくなって高いコスト削減効果が得られ、高機能にも拘わらず利用者が求める低価格で提供することができる。
【発明を実施するための最良の形態】
【００２４】
この発明の実施の形態を図１から図５を用いて説明すると、商品陳列棚のカード保持具１は、長いもので棚板の前面幅に相当する左右の長さを有し、断面U字形をなす腹合わせ状の板状の前後挟持片２a,２bからなるカード保持部２と、同様の長さを左右に有し、下側を装着片４bとした板状の棚板ガード枠４とからなる。
【００２５】
カード保持部２は前後挟持片２a,２bからなる本体と、その後側挟持片２bの長さ方向に沿う上端辺に設ける掛止部３を別体に形成し、カード保持部２同様、左右に長さを有する板状体の上側辺を後側に断面く字形に屈曲させて形成した首部３fを延長して後向きに曲折させ、さらに下方手前に曲げ返して形成した懐部３bを有する鉤辺３aで断面鉤状の掛止部３を構成し、その下側辺には長さ方向に沿って断面倒U字形をなす前後挟持辺３d,３eからなる結合手段３cを設け、該結合手段３cで後側挟持辺３eの弾発力を利用しカード保持部２本体の後側挟持片２b上端辺を挟持結合して、掛止部３を設けたカード保持部２を構成する。
【００２６】
この掛止部３はカード保持部２本体と同等の長さのものについて説明したが、カード保持部２本体より短い長さの掛止部３を複数用いてカード保持部２に点設し、または掛止部３をカード保持部２本体と共に棚板ガード枠部４よりも短い単体に形成して設け、棚板ガード枠部４に掛支することも可能である。
【００２７】
棚板ガード枠部４はガード枠４aと装着片４bを上下一体に形成した板状本体と、その長さ方向に沿う上端辺上に設ける掛受部５とを別体に形成し、掛受部５は補強筋辺を利用した上げ底状底部５bによって前記カード保持部２の掛止部３が回転可能な大きさの中空部５aを形成して上下二重構造の断面管状とした掛受部５を構成し、その上面である上壁５cの後寄りを長さ方向に沿い溝状に切り欠いて開口部６を形成し、該掛受部５の長さ方向に沿う下側辺に断面倒U字形をなす前後挟持辺５i,５jからなる結合手段５hを設け、該結合手段５hの後側挟持辺５jの弾発力を利用して棚板ガード枠部４本体のガード枠４a上端辺を挟持結合し、掛受部５を設けた棚板ガード枠部４を構成する。４cは後述する陳列棚における棚板上の仕切枠を固定するガイドで、棚板ガード枠部４本体背面の棚板上面と同位のガード枠４aと装着片４b間に相当する位置に長さ方向に沿って設ける。
【００２８】
この掛受部５も前記掛止部３同様に、棚板ガード枠部４本体の長さよりも短い長さに複数形成して点設させることも可能であるが、この場合掛止部３が棚板全幅に及ぶ長さの単体であれば問題ないが、掛止部３も複数点設する場合には、掛受部５はこれに相対する位置に設けるものである。
【００２９】
上記のこれら結合手段３c,５hによる別体結合構成は、説明した構成のほか、カード保持部２または棚板ガード枠部４のいずれか、或いは両部２,４双方に実施することができ、またカード保持部２または棚板ガード枠部４の本体側に前後挟持辺３d,３eからなる結合手段３cまたは前後挟持辺５i,５jからなる結合手段５hを設け、掛止部３または掛受部５側に板状の挿入片を設けて実施することも可能で、必要に応じて接着剤を用いて一体に結合固着するものである。
【００３０】
この商品陳列棚のカード保持具は、図１に示すようにカード保持部２を水平状にして掛止部３における鉤辺３a端辺の板状を利用して、棚板ガード枠部４の掛受部５の溝状開口部６に鉤辺３a端辺を平行に沿わせて挿入することができ、挿入させた鉤辺３aの懐部３bに開口部６の前側辺６aを嵌入させて掛け合わせ、この掛合部を支点にカード保持部２の前後挟持片２a,２b部を上方への揺動自在に掛支垂下させて使用するものである。
【００３１】
図２および図５（A）〜（D）に示すように、棚板ガード枠部４に掛合されたカード保持部２は、中空部５aに嵌受支持された掛止部３を支点として上方に捲り上げることができ、図２では倒立状態のカード保持部２の掛止部３と前側挟持片２a上端辺との合わせ部を、棚板ガード枠４の掛受部５の開口部後側辺６bでつっかえ状に受支してカード保持部２の倒立状態を保持する。
【００３２】
カード保持部２の倒立状態を保持する機構は、上記構成によるもののほか、図５（D）で示すようにカード保持部２の前側挟持片の上端辺に関係なく、掛受部５の断面管状構成により、倒立状態の掛止部３はその重力により上辺を掛受部５の中空部５aの補強筋辺を利用した上げ底状底部５bで受支し、掛止部３の首部３f側を掛受部５の後壁５e面で、その反対側を前壁５d面で中空部５aの深さ位置にてそれぞれ支持して固定され、倒立状態を保持することは可能である。
【００３３】
また、図５（A）に示すように棚板ガード枠部４の掛受部５の上面上前寄りに、長さ方向に沿った肘片５fを突設することにより、掛受部５を補強すると共に、カード保持部掛止部３の棚板ガード枠部掛受部５への掛支時に、掛止部３の懐部３bの上下間隔を、掛受部５の上壁５cと肘片５fとで吸収して、がたつきをなくし、不用意な接触にもプライスカード保持板前面に添い掛けたカード保持部２が傾いたり、外れ落ちたりすることがない作用効果がある。
【００３４】
この肘片５fは上記掛受部５の上面のほか、掛受部中空部５a内の上壁５cに関係した位置、例えば、図示を省略したが、前壁５cに水平状に、または上壁５cに垂下状に突設することによっても同様の作用は得られ、掛支時の掛止部懐部３bの上下空間を吸収可能な位置および高さに突設する。
【００３５】
さらに、カード保持部２の懐部３b壁面、例えば、図５（A）に示すように鉤辺３aの壁面に長さ方向に沿う肘片３gを突設して鉤辺３aを含む掛止部３を補強すると共に、カード保持部掛止部３の棚板ガード枠掛受部５への掛支時に、該肘片３gが掛止部３の懐部３b内に掛入された開口部６の前側辺６aを抑止して、掛止部３が掛受部５に対して手前方向にずれることを防ぐため、がたつきがなくなり、前記同様の作用効果が得られる。
【００３６】
このカード保持具の商品陳列棚への装着および利用の工程を図６〜図９に基づいて説明すると、棚板ガード枠部４の装着片４bを商品陳列棚７の棚板８前側面にプライスカード保持板９との間に設けた受け溝８aに上方から挿着し、背面に設けた仕切枠固定ガイド４cを棚板８上に臨ませて、棚板ガード枠部４のガード枠４aを棚板８前側に固定装着し、この棚板ガード枠部４の掛受部５上の開口部６に、カード保持部２本体を水平方向に持ち上げながら鉤形頭大状の掛止部３を板状の曲折鉤辺３a端から挿入し、その懐部３bに開口部６の板状前側辺６aを入れると、カード保持部２本体はその自重でプライスカード保持板９側に転回して、曲折鉤辺３aが開口部６の板状前側辺６aに引っ掛かりカード保持部２はプライスカード保持板９前面に掛け支えられるものである。
【００３７】
既述したように店頭における商品陳列棚７の棚板８前面に装着されたプライスカード保持板９には、通常販売されている価格を記した元のプライスカード１０が挿入保持されている。このプライスカード支持板９を前面（表側）から覆う状態でカード保持具１を懸け下げ、その日その日の目玉商品に特別価格と共に人の目を引きつける謳い文句など特異なキャッチフレーズを記したカードをこの保持具１に挿入保持して表示し、元の前記プライスカード１０を個別的に遮る状態で用いる保持具で、一般にPOPカードレールと呼ばれている。
【００３８】
そのため店内にて商品の在庫状況などを検索機材を使って計数するについて、プライスカード保持板９で支持されている元の主カード１０のバーコード、文字、記号、数字等で表示されている陳列商品の大切な各種情報を読みとり入力するとき、このPOPカードを保持するカード保持部２を一時的に上方に捲り上げ、プライスカード保持板９で保持している元のプライスカード１０面を露出させて、これら情報の検出入力をし易くするもので、該保持具１のカード保持部２をプライスカード保持板９面に揺動自在に開閉できるよう装着させるものである。
【００３９】
プライスカード保持板９上で掛支されたカード保持部２は、前後挟持片２a,２bの折返し下側辺２cを、掛受部５に嵌合させた掛止部５を支点として上方に捲り上げると、カード保持部２のはその重力により鉤形頭大状の掛止部３が、掛受部５の中空部５eの底部５bに没入し、カード保持部２本体はその大部分が掛受部開口部６から露出し重力が上方に偏った倒立状態で底部５bに支持され、首部３fは開口部６の後側辺６bにもたれ掛かった状態（図２参照）で停止保持される。
【００４０】
このカード保持部２をプライスカード保持板９前面に戻し添わせる時には、カード保持部２の下側辺２c、即ち倒立状態のカード保持部２の上辺を手前に向けて軽く弾くだけで、前記倒立状態のカード保持部２は上方に偏った重力作用により前方側に倒れ戻り、これによって掛止部３は中空部５e内で回転しながらシーソー状に持ち上げられて曲折鉤辺３aが自然に開口部６の前側辺６aに掛かり、転回したカード保持部２本体はプライスカード保持板９前面に垂れ添って固定保持される。
【実施例】
【００４１】
図１０〜図１３を用いて実施例を説明すると、カード保持部２の掛止部３は、断面U字形をなす前後挟持片２a,２bの長さ方向に沿う後側挟持片２b上側辺を、延長して後向きに曲折させ、さらに下向き手前に曲げ返して懐部３bを有する断面鉤状の頭大掛止部３を一体に形成し、他方棚板ガード枠部４本体の長さ方向に沿う上側辺上に、前記カード保持部２の掛止部３が回転可能な大きさの中空部５aを有する断面管状の掛受部５を一体に設け、該掛受部５の上壁（上面）５cを長さ方向に沿い切り欠いて溝状の開口部６を形成してなる商品陳列棚のカード保持具１を提案する。
【００４２】
図１３に示すように、棚板ガード枠部４の掛受部５を断面円形をなす単胴（一重構造）の中空部５aを形成して断面円管状にし、その上壁５cの長さ方向に沿う後寄りを溝状に切り欠いて開口部６とすることによって、この開口部６からカード保持部２の板状掛止部３端辺を挿入させて中空部５a内に嵌め込み、掛止部３の鉤辺３aを掛受部５の板状前側辺６aに掛合することでカード保持部２を垂下させることができ、また図面は省略したが、カード保持部２の捲り上げ倒立時には、掛止部３は底部５bおよび前壁５dで受支され、その首部３fは後壁５eおよび開口部６の後側辺６bで支えられて、倒立状態を保持することができ、元の掛け下げ状態に戻す操作も既述と同様に容易になすことができる。
【００４３】
以上で説明した商品陳列棚のカード保持具は、主としてプラスチック資材を用いて押し出し成型により形成するもので、少なくともカード保持部２の前後挟持片２a,２b部分は透明性のあるプラスチック資材を用い、商品陳列棚７への設置時には、棚板ガード枠部４の掛受部５両端部に蓋体を嵌合して中空部５aを両方から体裁良く塞いで使用するもので、部分によっては板状のプラスチック資材を加熱状態にて折曲成型して形成することもある。  また、コストを考慮すれば、プラスチック資材を用いて成型するのが最良であるが、場合によっては強度を考慮して、カード保持部２、特に前後挟持片２a,２b部分を除いては金属資材を用いて成型することもある。
【００４４】
なお、上記各実施例の説明では、カード保持具１のカード保持部２および棚板ガード枠部４の長さ（左右）は、陳列棚の幅に相当する長さを有するカード保持具について記述したが、カード保持部２については必ずしもその長さは必要なく、棚板ガード枠部４に対し一つ乃至複数の短いカード保持部２を掛合して、棚板ガード枠部４の掛受部５上を左右にスライドさせて使用することも可能である。
【図面の簡単な説明】
【００４５】
【図１】この発明を実施せるカード保持具の掛合状態を示した縦断側面図である。
【図２】図１のカード保持具の揺動停止状態を示した縦断側面図である。
【図３】図１のカード保持具を分離して示したカード保持部一部の斜視図である。
【図４】図１のカード保持具を分離して示した棚板ガード枠部一部の斜視図である。
【図５】この発明のカード保持具における掛止部と掛受部による回動状態を順次示す要部の縦断面図である。
【図６】この発明のカード保持具を設置する商品陳列棚の一部斜視図である。
【図７】図６に示す商品陳列棚の側面図である。
【図８】図６の商品陳列棚の棚板要部を拡大して示した縦断面図である。
【図９】図８の棚板にこの発明のカード保持具を設置した状態を示した縦断面図である。
【図１０】この発明のカード保持具の他の実施例を掛合状態で示した縦断側面図    である。
【図１１】図１０のカード保持具を分離して示したカード保持部の縦断面図である。
【図１２】図１０のカード保持具を分離して示した棚板ガード枠部の縦断面図である。
【図１３】この発明のカード保持具の他の実施例を掛合状態で示した縦断側面図    である。
【図１４】従来のカード保持具を掛合状態で示した縦断側面図である。
【図１５】従来の他のカード保持具を掛合状態で示した縦断側面図である。
【符号の説明】
【００４６】
１    カード保持具
２    カード保持部
２a   前側挟持片
２b   後側挟持片
３    掛止部
３b   懐部
３c   結合手段
３d   前側挟持辺
３e   後側挟持辺
３g   肘片
４    棚板ガード枠部
５    掛受部
５a   中空部
５f   肘片
５h   結合手段
５i   前側挟持辺
５j   後側挟持辺
６    開口部
７    陳列棚
８    棚板
【図１】
2006181168.tif 000003
【図２】
2006181168.tif 000004
【図３】
2006181168.tif 000005
【図４】
2006181168.tif 000006
【図５】
2006181168.tif 000007
【図６】
2006181168.tif 000008
【図７】
2006181168.tif 000009
【図８】
2006181168.tif 000010
【図９】
2006181168.tif 000011
【図１０】
2006181168.tif 000012
【図１１】
2006181168.tif 000013
【図１２】
2006181168.tif 000014
【図１３】
2006181168.tif 000015
【図１４】
2006181168.tif 000016
【図１５】
2006181168.tif 000017